(57)【要約】【課題】  簡素な構造で、発光色や発光形態の多様化を図ることのできる光装飾装置を提供する。【解決手段】  収納ボックス１０の内部には、光ファイバー束３の基端部３ａの下方に配置される光源４と、基端部３ａと光源４との間に配置される円板状の着色フィルター５と、着色フィルター５を上下方向の回転軸線Ｏ（回転軸５ａ）の周りに回転させる電動モーター６と、光源４及び電動モーター６に電力を供給する電源７等が収容されている。基端部３ａの挿入位置は、移動内筒１３の外面と固定外筒１２の内面との間の摩擦力及び合成樹脂の弾性力によって保持されているから、移動内筒１３（光ファイバー束３）を把持して摩擦力や弾性力以上の力を加えれば、光ファイバー束３を光軸Ｐに沿って上下移動することができる。これによって、光ファイバー束３の基端部３ａと着色フィルター５との間隔Ｌを変化させることができる。【選択図】  図１
2007027006.tif 000002
【特許請求の範囲】
【請求項１】
複数の光ファイバーを集合させて形象を形作るとともにそれらの光ファイバーを束ねた基端部側に光源を配置し、その光源からの光を前記光ファイバーの先端又は中途部から外部へ放出して光ファイバーで形作られる前記形象を発光させる光装飾装置であって、
前記光ファイバー束の基端部と前記光源との間には、該光源から光ファイバー束の基端部へ向う光軸と交差する回転面を有して前記光源の光の色を所定の色に変えるとともに、その回転面には周方向に区画され異なる色で色分けされた複数の着色部が形成される着色手段を備え、
前記光ファイバー束の基端部と前記着色手段との間隔を変化させることによって、光ファイバーで形作られる前記形象の発光形態を変更させる間隔変更部が設けられていることを特徴とする光装飾装置。
【請求項２】
前記間隔変更部により前記光ファイバー束の基端部と前記着色手段との間隔を小としたとき、光ファイバーで形作られる前記形象は前記着色手段の複数の着色部が前記光軸を横切るたびにあたかも点滅するように色変化して発光し、
前記間隔変更部により前記光ファイバー束の基端部と前記着色手段との間隔を大としたとき、前記着色手段の複数の着色部が前記光軸を横切るたびになだらかに色変化して発光する請求項１に記載の光装飾装置。
【請求項３】
前記着色手段の複数の着色部のうち一部は非透光部で構成され、
前記間隔変更部により前記光ファイバー束の基端部と前記着色手段との間隔を小としたとき、光ファイバーで形作られる前記形象は前記着色手段の非透光部が前記光軸を横切る際に点滅し、
前記間隔変更部により前記光ファイバー束の基端部と前記着色手段との間隔を大としたとき、前記着色手段の非透光部が前記光軸を横切る際になだらかに明暗変化する請求項１又は２に記載の光装飾装置。
【請求項４】
前記着色手段は円板状の着色フィルターで構成され、前記複数の着色部はそれぞれ中心から放射状に拡がる扇形状に区画形成されている請求項１ないし３のいずれか１項に記載の光装飾装置。
【請求項５】
前記着色フィルターは区画の大きさと配置色とのうち少なくとも一方が異なるものと交換可能である請求項４に記載の光装飾装置。
【請求項６】
複数の光ファイバーを集合させて形象を形作り、それらの光ファイバーを束ねた基端部側に光源を配置し、その光源からの光を前記光ファイバーの先端又は中途部から外部へ放出して光ファイバーで形作られる前記形象を発光させるとともに、
前記光ファイバー束の基端部と前記光源との間隔を変化させることによって、光ファイバーで形作られる前記形象の発光形態を変更させる間隔変更部が設けられていることを特徴とする光装飾装置。
【発明の詳細な説明】
【技術分野】
【０００１】
この発明は、光ファイバーを用いて発光させる光装飾装置に関する。
【背景技術】
【０００２】
従来、所定の対象物に複数の光ファイバーを連結して、その先端から点状の光又は多数の点状の光の群を組み合わせて、適宜の装飾的な発光を行わせる発光装置が知られている。
【０００３】
しかしながら、この種の装飾発光装置では、例えば幻想的な癒し空間を形成するために発光色や発光形態（色変化等）を多様化しようとすると、複数色の光源及び発光制御部等を要することとなって、装置が大型になり高価になるおそれがある。
【発明の開示】
【発明が解決しようとする課題】
【０００４】
本発明の課題は、簡素な構造で、発光色や発光形態の多様化を図ることのできる光装飾装置を提供することにある。
【課題を解決するための手段及び発明の効果】
【０００５】
上記課題を解決するために、本発明に係る光装飾装置は、
複数の光ファイバーを集合させて形象を形作るとともにそれらの光ファイバーを束ねた基端部側に光源を配置し、その光源からの光を前記光ファイバーの先端又は中途部から外部へ放出して光ファイバーで形作られる前記形象を発光させる光装飾装置であって、
前記光ファイバー束の基端部と前記光源との間には、該光源から光ファイバー束の基端部へ向う光軸と交差する回転面を有して前記光源の光の色を所定の色に変えるとともに、その回転面には周方向に区画され異なる色で色分けされた複数の着色部が形成される着色手段を備え、
前記光ファイバー束の基端部と前記着色手段との間隔を変化させることによって、光ファイバーで形作られる前記形象の発光形態を変更させる間隔変更部が設けられていることを特徴とする。
【０００６】
このように、回転面に複数の着色部が形成された着色手段（例えば着色フィルター）と光ファイバー束の基端部との間隔を変化させる間隔変更部を設けることで、光ファイバーで形作られる形象の発光形態（例えば色変化や明暗変化）が変更可能となる。これによって、光装飾装置を簡素かつ安価な構造とし、しかも発光色や発光形態の多様化を図ることができる。例えば発光制御部を有しない単色の光源を用いて、多様な色変化を発生させることも可能である。
【０００７】
具体的には、
間隔変更部により光ファイバー束の基端部と着色手段との間隔を小としたとき、光ファイバーで形作られる形象は着色手段の複数の着色部が光軸を横切るたびにあたかも点滅するように色変化して発光し、
間隔変更部により光ファイバー束の基端部と着色手段との間隔を大としたとき、着色手段の複数の着色部が光軸を横切るたびになだらかに色変化して発光する。
【０００８】
したがって、光ファイバー束の基端部と着色手段との間隔を小にしていくと、メリハリの利いたＯＮ−ＯＦＦ状の色変化が楽しめ、両者の間隔を大にしていくと（例えばサインカーブ状に）波打つような色変化が楽しめるようになる。
【０００９】
さらに、着色手段の複数の着色部のうち一部は非透光部で構成され、
間隔変更部により光ファイバー束の基端部と着色手段との間隔を小としたとき、光ファイバーで形作られる形象は着色手段の非透光部が光軸を横切る際に点滅し、
間隔変更部により光ファイバー束の基端部と着色手段との間隔を大としたとき、着色手段の非透光部が光軸を横切る際になだらかに明暗変化する。
【００１０】
したがって、着色手段の回転面には非透光部と透光性の着色部とが形成されることになるので、光ファイバー束の基端部と着色手段との間隔を小にしていくと、ＯＮ−ＯＦＦ状に点滅する様子が楽しめ、両者の間隔を大にしていくと（例えばサインカーブ状に）波打つような明暗の変化が楽しめるようになる。このように、着色手段の回転面に非透光部を形成することによって、幻想的な癒し空間が形成されるようになる。もちろん、非透光部と異なる色で色分けされた複数の透光性着色部とを設けることができ、それによってさらに幻想的な癒し空間を形成しやすくなる。
【００１１】
そして、着色手段が円板状の着色フィルターで構成され、複数の着色部がそれぞれ中心から放射状に拡がる扇形状に区画形成されている場合には、着色手段を一層簡便に形成することができ、また光ファイバー束との相対配置及びその基端部との間隔調整も容易に行なえる。
【００１２】
さらに、着色フィルターを、区画の大きさと配置色とのうち少なくとも一方が異なるものと交換可能とすれば、光ファイバーで形成される形象に応じて多彩な発光形態を付与できる。
【００１３】
なお、着色手段の回転面に、複数の透光性着色部（又は非透光部と透光性着色部）が周方向に交互に配置される場合には、上記したＯＮ−ＯＦＦ状の色変化（又は点滅）や波打つような色変化（又は明暗変化）を交互に繰り返し発生させて、幻想的な癒し空間を形成しやすくなる。
【００１４】
また、上記課題を解決するために、本発明に係る光装飾装置は、
複数の光ファイバーを集合させて形象を形作り、それらの光ファイバーを束ねた基端部側に光源を配置し、その光源からの光を前記光ファイバーの先端又は中途部から外部へ放出して光ファイバーで形作られる前記形象を発光させるとともに、
前記光ファイバー束の基端部と前記光源との間隔を変化させることによって、光ファイバーで形作られる前記形象の発光形態を変更させる間隔変更部が設けられていることを特徴とする。
【００１５】
このように、光ファイバー束の基端部と光源との間隔を変化させる間隔変更部を設けることによっても、光ファイバーで形作られる形象の発光形態（例えば色変化や明暗変化）が変更可能となる。これによって、光装飾装置を簡素かつ安価な構造とし、しかも発光色や発光形態の多様化を図ることができる。例えば複数の光源を用いて、多様な色変化を発生させることも可能である。
【発明を実施するための最良の形態】
【００１６】
（実施例１）
以下、図面を参照しながら発明の実施の形態について説明する。図１は本発明の光装飾装置の一例を示す断面図、図２はそのボックスの蓋を開けた状態を示す斜視図、図３は図１の構造を模式的に示す説明図である。図１に示す光装飾装置１は、複数の光ファイバー２を集合させて形象１ａを形成している。複数の光ファイバー２は上部では複数のエリア２１，２２，２３に枝分かれしている。一方、複数の光ファイバー２の下部は幹をなすように円柱状に束ねられて光ファイバー束３を構成し、その基端部３ａ（樹木の根の部分に相当する）は、光装飾装置１の主要部分を収容する収納ボックス１０に保持されている。
【００１７】
具体的には、光ファイバー束３の基端部３ａは合成樹脂製の移動内筒１３（間隔変更部）に挿入固定されている。さらに、その移動内筒１３の下部は、収納ボックス１０の蓋１１に固定された合成樹脂製の固定外筒１２（間隔変更部）に挿入されて、基端部３ａとともに収納ボックス１０内に突入配置されている。移動内筒１３の外径と固定外筒１２の内径とはほぼ同径に形成され、移動内筒１３の外面と固定外筒１２の内面との間の摩擦力及び合成樹脂の弾性力によって、移動内筒１３（基端部３ａ）は自重で下がることなく挿入位置を維持している。
【００１８】
図２にも表わされるように、収納ボックス１０の内部には、光ファイバー束３の基端部３ａの下方に配置される光源４と、基端部３ａと光源４との間に配置される円板状の着色フィルター５（着色手段）と、着色フィルター５を上下方向の回転軸線Ｏ（回転軸５ａ）の周りに回転させる電動モーター６と、光源４及び電動モーター６に電力を供給する電源７等が収容されている。
【００１９】
光源４には、Ｒ（赤）、Ｂ（青）、Ｇ（緑）の光の三原色のＬＥＤを用いたフルカラーＬＥＤの他、単色のＬＥＤや所定色の光を放つ各種のランプを用いることができる。例えば、形象１ａを発光させるのに必要な光量を確保するために、複数の白色ＬＥＤを光源４に用いる場合がある。白色ＬＥＤの消費電力や発熱量はハロゲンランプ等と比較して数段小さいので、大きな光量を要する光装飾装置１に有効である。
【００２０】
光源４から光ファイバー束３の基端部３ａへ向う光軸Ｐは、光ファイバー束３を通り回転軸線Ｏと平行状になるように配置されている。着色フィルター５の回転面５ｂは光軸Ｐと直交状に配置され、その半径は光ファイバー束３の外径よりもやや大に設定されている（図３（ａ）参照）。
【００２１】
既に述べたように、図１に示す基端部３ａの挿入位置は、移動内筒１３の外面と固定外筒１２の内面との間の摩擦力及び合成樹脂の弾性力によって保持されているから、移動内筒１３（光ファイバー束３）を把持して摩擦力や弾性力以上の力を加えれば、光ファイバー束３を光軸Ｐに沿って上下移動することができる。これによって、光ファイバー束３の基端部３ａと着色フィルター５との間隔Ｌを変化させることができる。なお、移動内筒１３の外周面に目盛１３ａを刻設（又は記入）しておけば、目盛１３ａを目印とすることによって間隔Ｌの調整が容易となる。
【００２２】
図３に示すように、着色フィルター５の回転面５ｂには、周方向に複数等分（例えば８等分）に区画され、異なる色で色分けされた複数（例えば２種類）の着色部５ｃ，５ｄが形成されている。具体的には、回転面５ｂは、円周を８等分する形で中心から放射状に拡がる計８個の細幅扇形状の着色部５ｃと、同じく円周を８等分する形で中心から放射状に拡がる計８個の広幅扇形状の着色部５ｄとを有している。また、着色部５ｃと着色部５ｄとは周方向に交互に配置されている。
【００２３】
そして、光装飾装置１では、光ファイバー束３の基端部３ａと着色フィルター５との間隔Ｌを変化させることによって、形象１ａの発光形態が変更可能とされている。図３及び図４によって具体的な発光形態を説明する。
【００２４】
（１）着色部の一部が非透光部で構成される場合
図３において、８個の細幅扇形状の着色部５ｃを、黒色に塗装されて光源４からの光を遮断する非透光部で形成する。８個の広幅扇形状の着色部５ｄを、例えば赤色に塗装された透光性の着色部で形成する。このような回転面５ｂを有する着色フィルター５と光ファイバー束３の基端部３ａとの間隔Ｌ１を小さくして、電動モーター６により着色フィルター５を回転させる。すると、非透光部５ｃが光軸Ｐを横切る際に光源４からの光が一時的に遮断されて基端部３ａの各光ファイバー２に届かなくなり、一時消灯（ＯＦＦ）後赤色点灯（ＯＮ）する動作（赤色の点滅状態）を繰り返すようになる（図３（ｃ）参照）。これによって、形象１ａがＯＮ−ＯＦＦ状に点滅する様子を楽しめるようになる。
【００２５】
次に、図４に示すように、着色フィルター５と光ファイバー束３の基端部３ａとの間隔Ｌ２を大きくして、着色フィルター５を回転させる。すると、非透光部５ｃが光軸Ｐを横切る際に光源４からの光は間隔Ｌ２が大きいために完全に遮断されずに基端部３ａの各光ファイバー２に部分的に到達し、なだらかな明暗変化を繰り返すようになる（図４（ｃ）参照）。これによって、形象１ａがサインカーブ状に波打つような明暗の変化を楽しめるようになる。
【００２６】
（２）着色部が複数の透光性着色部で構成される場合
再び図３において、８個の細幅扇形状の着色部５ｃを、例えば青色に塗装された透光性の着色部で形成する。８個の広幅扇形状の着色部５ｄを、例えば赤色に塗装された透光性の着色部で形成する。このような回転面２ｂを有する着色フィルター５と光ファイバー束３の基端部３ａとの間隔Ｌ１を小さくして、電動モーター６により着色フィルター５を回転させる。すると、透光性着色部５ｃ，５ｄが光軸Ｐを横切るたびに光源４からの光の色が青色と赤色とで交互に切り替わり、あたかも点滅するように色変化して発光する（図３（ｃ）参照）。これによって、形象１ａがメリハリの利いたＯＮ−ＯＦＦ状に色変化する様子を楽しめるようになる。
【００２７】
次に、再び図４に示すように、着色フィルター５と光ファイバー束３の基端部３ａとの間隔Ｌ２を大きくして、着色フィルター５を回転させる。すると、透光性着色部５ｃ，５ｄが光軸Ｐを横切るたびに光源４からの光は間隔Ｌ２が大きいために完全に切り替わらずに基端部３ａの各光ファイバー２に部分的に到達し、青色→紫色→赤色→紫色→青色のようになだらかな色変化を繰り返すようになる（図４（ｃ）参照）。これによって、形象１ａがサインカーブ状に波打つように色変化する様子を楽しめるようになる。
【００２８】
なお、各８個の着色部５ｃ，５ｄをすべて青色と赤色とで交互に形成するようにしたが、区画毎に異なる色（例えば赤色、オレンジ色、青色、黄色等）で色分けしてもよい。また、着色部５ｃ，５ｄの区画の大きさ（面積）も大小に変化させることができる。
【００２９】
例えば、図５に示すように、着色フィルター５の回転面５ｂには多数の色や着色部を配置することができる。図５に示すものでは、回転面５ｂを複数の扇形状の区画に分けたうちの細幅扇形状の４区画を黒色に塗装して非透光部５０が形成されている。その他に回転面５ｂには、単色（例えば青色）で塗装された透光性着色部５１、複数色（例えば青色、黄色、緑色）で連続的に並ぶように塗装された透光性着色部５２、例えば赤色でＶ字状に着色塗装された透光性着色部５３、例えば青色で法線方向以外の方向に筋状に着色塗装された透光性着色部５４等が形成されている。光装飾装置１において発光させる形象１ａに応じ、図３，図４に示す着色フィルターを図５に示す着色フィルターに取り替えて使用することができる。
【００３０】
このように、回転面５ｂに複数の着色部５ｃ，５ｄが形成された着色フィルター５と光ファイバー束３の基端部３ａとの間隔Ｌを変化させることで、光ファイバー２で形作られる形象１ａの発光形態（色変化や明暗変化）が変更可能となる。これによって、光装飾装置１を発光制御部を有しない、簡素かつ安価な構造とし、しかも発光色や発光形態の多様化を図ることができる。
【００３１】
なお、着色フィルター５を通って各光ファイバー２に達した光源４からの光は、光ファイバー２の先端以外にその中途部から外部に放出されるようにしてもよい。
【００３２】
図６に間隔変更部の変形例を示す。図６では、間隔変更部にデテント機構を採用している。具体的には、固定外筒１１２（間隔変更部）の内周面に１又は複数（例えば２つ）の凹部１１２ａを形成する一方、移動内筒１１３（間隔変更部）の外周面に凹部１１２ａに対応させて周方向に２つの半球状凹部１１３ａを上下方向に複数段（例えば３段）形成している。さらに、凹部１１２ａとこれに対向する半球状凹部１１３ａとの間にボール１１４と圧縮コイルばね１１５（弾発部材）とが挿入されている。したがって、図６の状態では圧縮コイルばね１１５の付勢力によってボール１１４は凹部１１２ａと半球状凹部１１３ａとに跨って保持される。
【００３３】
移動内筒１１３（基端部３ａ）に下向き（又は上向き）の力を加えると、圧縮コイルばね１１５の付勢力に打ち勝ってボール１１４が凹部１１２ａに押し込まれ、移動内筒１１３は下方（又は上方）に移動できるようになる。間隔Ｌの調整を終えて他の半球状凹部１１３ａが凹部１１２ａ内のボール１１４と係合すると、移動内筒１１３（基端部３ａ）はその調整位置に保持される。このように、デテント機構を用いることにより、間隔Ｌの調整作業が容易となり、調整後の位置ずれを防止できる。
【００３４】
（実施例２）
次に、図７は本発明の光装飾装置の他の例を示す断面図である。図７に示す光装飾装置１００では、光ファイバー束３の基端部３ａと光源４０との間隔Ｌを変化させる間隔変更部を設けることによって、光ファイバー２で形作られる形象１００ａの発光形態（例えば色変化や明暗変化）を変更可能としている。なお、間隔変更部は、実施例１と同様に固定外筒１２と移動内筒１３とで構成されている。
【００３５】
実施例２の一例として、単色（例えば赤色）で複数（例えば３個）のＬＥＤ４１，４２，４３からなる光源４０と、光ファイバー束３の基端部３ａとの間隔Ｌを、間隔変更部１２，１３によって変化させ、形象１００ａの発光形態（例えば色変化や明暗変化）を変更できるようにしている。したがって、上記間隔Ｌを小とすれば形象１００ａは強い赤色で発光し、間隔Ｌを大とすれば形象１００ａはぼんやりとした赤色で発光するようになる。
【００３６】
なお、光源４０に用いるＬＥＤ４１，４２，４３は単色のものに限られないこと、及びランプ類であってもよいことは、実施例１の場合と同様である。また、実施例２（図７）において実施例１（図１〜図６）と共通の機能を有する部分には同一符号を付して説明を省略する。
【図面の簡単な説明】
【００３７】
【図１】本発明の光装飾装置の一例を示す断面図。
【図２】図１のボックスの蓋を開けた状態を示す斜視図。
【図３】図１の構造を模式的に示す説明図。
【図４】図３の光ファイバー束を移動した状態を模式的に示す説明図。
【図５】着色フィルターの変形例を示す説明図。
【図６】間隔変更部の変形例を示す説明図。
【図７】本発明の光装飾装置の他の例を示す断面図。
【符号の説明】
【００３８】
１，１００  光装飾装置
１ａ，１００ａ  形象
２      光ファイバー
３      光ファイバー束
３ａ    基端部
４，４０  光源
５      着色フィルター（着色手段）
５ａ    回転軸
５ｂ    回転面
５ｃ，５ｄ  着色部
１２    固定外筒（間隔変更部）
１３    移動内筒（間隔変更部）
Ｏ      回転軸線
Ｐ      光軸
【図１】
2007027006.tif 000003
【図２】
2007027006.tif 000004
【図３】
2007027006.tif 000005
【図４】
2007027006.tif 000006
【図５】
2007027006.tif 000007
【図６】
2007027006.tif 000008
【図７】
2007027006.tif 000009